(57)【要約】【課題】複数の撮影レンズユニットに対してそれぞれ適した電圧を供給するとともに、電源からの供給電圧が変動する（特に供給電圧が比較的低くなる）場合において、撮影レンズユニット以外における不都合な電圧低下を抑制することが可能な撮像装置を提供する。【解決手段】撮像装置は、電源５１からの供給電圧Ｖ０に対する電圧降下を伴って供給電圧Ｖ０に応じた大きさの電圧を出力する電圧降下部５７Ａと、電源５１からの供給電圧Ｖ０に対する電圧降下を伴って供給電圧Ｖ０に応じた大きさの電圧を出力する電圧降下部５７Ｂと、制御部とを備える。制御部は、第１の撮影レンズユニットが装着されているときには電圧降下部５７Ａからの出力電圧を当該撮影レンズユニットに対して出力し、第２の撮影レンズユニットが装着されているときには電圧降下部５７Ｂからの出力電圧を当該撮影レンズユニットに対して出力する。【選択図】図２
2009017068.tif 000002
【特許請求の範囲】
【請求項１】
複数の撮影レンズユニットを着脱自在に装着可能な撮像装置であって、
前記撮像装置に装着されている撮影レンズユニットを判別する判別手段と、
電源からの供給電圧に対する第１の電圧降下を伴って前記供給電圧に応じた大きさの電圧を出力する第１の電圧降下部と、
前記電源からの前記供給電圧に対する第２の電圧降下を伴って前記供給電圧に応じた大きさの電圧を出力する第２の電圧降下部と、
第１の撮影レンズユニットが装着されていると判別されるときには前記第１の電圧降下部からの出力電圧を前記第１の撮影レンズユニットに対して出力し、第２の撮影レンズユニットが装着されていると判別されるときには前記第２の電圧降下部からの出力電圧を前記第２の撮影レンズユニットに対して出力する制御手段と、
を備えることを特徴とする撮像装置。
【請求項２】
請求項１に記載の撮像装置において、
前記第１の電圧降下部はダイオードを用いて構成され、
前記第２の電圧降下部はダイオードを用いて構成されることを特徴とする撮像装置。
【請求項３】
請求項２に記載の撮像装置において、
前記第１の電圧降下部に用いられるダイオードの数と前記第２の電圧降下部に用いられるダイオードの数とが互いに異なることを特徴とする撮像装置。
【請求項４】
請求項２に記載の撮像装置において、
前記第１の電圧降下部に用いられるダイオードの種類と前記第２の電圧降下部に用いられるダイオードの種類とが互いに異なることを特徴とする撮像装置。
【請求項５】
請求項１に記載の撮像装置において、
前記制御手段は、前記第１の撮影レンズユニットが装着されていると判別されるときには前記第１の電圧降下部からの出力電圧を前記第１の撮影レンズユニットの駆動部に対して出力し、前記第２の撮影レンズユニットが装着されていると判定されるときには前記第２の電圧降下部からの出力電圧を前記第２の撮影レンズユニットの駆動部に対して出力することを特徴とする撮像装置。
【請求項６】
複数の撮影レンズユニットを着脱自在に装着可能な撮像装置であって、
前記撮像装置に装着されている撮影レンズユニットを判別する判別手段と、
電源からの供給電圧をダイオードによる電圧降下作用で低下させた電圧を出力する第１の電圧出力部と、
前記電源からの前記供給電圧をダイオードによる電圧降下作用で低下させた電圧を出力する第２の電圧出力部と、
第１の撮影レンズユニットが装着されていると判別されるときには前記第１の電圧出力部からの出力電圧を前記第１の撮影レンズユニットに対して出力し、第２の撮影レンズユニットが装着されていると判別されるときには前記第２の電圧出力部からの出力電圧を前記第２の撮影レンズユニットに対して出力する制御手段と、
を備えることを特徴とする撮像装置。
【発明の詳細な説明】
【技術分野】
【０００１】
本発明は、デジタルカメラなどの撮像装置に関する。
【背景技術】
【０００２】
レンズ交換式の一眼レフレックス（単に一眼レフとも称する）タイプのカメラなど、複数の撮影レンズユニット（交換レンズなどとも称する）を着脱自在に装着可能な撮像装置が存在する（例えば特許文献１参照）。
【０００３】
このような撮像装置には電池などの電源が備えられている。そして、当該電源からの電力供給を受けて当該撮像装置の各部が動作する。また、当該撮像装置に装着可能な撮影レンズユニット（交換レンズ）の中には、フォーカスレンズおよび／またはズームレンズを内蔵するとともに、当該フォーカスレンズおよび／またはズームレンズを駆動するためのモータなどの駆動部（駆動装置）を内蔵しているものも存在する。このような交換レンズに対しても、当該撮像装置の電源から電力が供給され、当該交換レンズの各駆動部が動作する。
【０００４】
【特許文献１】特開昭６２−３２４２６号公報
【発明の開示】
【発明が解決しようとする課題】
【０００５】
ところで、撮像装置には様々な交換レンズが装着可能であり、当該交換レンズに供給されるべき電圧も単一ではなく様々なものが存在する。
【０００６】
例えば、図７に示すように、或る交換レンズＬ１には特定の幅を有する電圧（例えば、３．５Ｖ（ボルト）から８．０Ｖ（ボルト）まで）の供給が許容され、別の交換レンズＬ２には別の幅を有する電圧（例えば、０．８Ｖ（ボルト）から５．４Ｖ（ボルト）まで）の供給が許容されることがある。
【０００７】
このような場合には、図６のような撮像装置を構築することが考えられる。図６の撮像装置においては、当該両交換レンズＬ１，Ｌ２のいずれにおいても許容される所定の電圧（例えば４．５Ｖ（ボルト））ＶＣを供給する電圧変換部１５８が設けられている。この電圧変換部１５８によって、電源１５１からの供給電圧Ｖ０が所定の電圧ＶＣに変換されて当該所定の電圧ＶＣが交換レンズに供給される。このような電圧変換部１５８には、例えば、ＤＣ−ＤＣコンバータ、特に昇圧機能と降圧機能との両機能を有するＤＣ−ＤＣコンバータが用いられ得る。
【０００８】
しかしながら、このようなＤＣ−ＤＣコンバータなどを用いて電圧変換を行う場合には、次のような問題が生じることがある。
【０００９】
一般に、電源からの供給電圧Ｖ０は様々な要因によって変化する。例えば、電池の消耗、あるいは、撮像装置内の他の電力消費部における瞬間的な電力消費の大小などに依拠しても変化する。すなわち、供給電圧Ｖ０は、一定の範囲（例えば、４．０Ｖ（ボルト）から８．４Ｖ（ボルト））で変動する。
【００１０】
ここにおいて、ＤＣ−ＤＣコンバータは、このような供給電圧Ｖ０の変動が存在する場合にも一定の電圧ＶＣを交換レンズに対して出力する。例えば、電源からの供給電圧が比較的低い場合（例えば４．０Ｖ（ボルト））であっても、ＤＣ−ＤＣコンバータは、当該供給電圧Ｖ０を昇圧し所定の値（例えば比較的高い値）ＶＣに調整した電圧を、交換レンズに対して出力する。この場合、安定した電圧を供給できるというメリットも存在するが、その一方で次のようなデメリットも存在する。
【００１１】
具体的には、交換レンズに対して常に所定値の電圧（比較的高い電圧）が出力されると、当該交換レンズに関する電流が比較的大きくなり、他の部分への電力供給回路内の抵抗成分による電圧降下が比較的大きくなる。この結果、他の部分における不都合な電圧低下を招来してしまうことがある。状況によっては、当該他の部分において必要な電圧が得られないこともある。すなわち、このような電圧低下は誤作動等の原因になり得る。
【００１２】
なお、上記の特許文献１においては、切替回路およびモータ駆動信号発生回路によって、ＡＦレンズに対する出力電圧をＡＦレンズの種類に応じて切り替える場合、すなわち２種類の電圧を選択的に生成して出力する場合が示されている。また、このような２種類の出力電圧を生成する際にも、上記のようなＤＣ−ＤＣコンバータを利用することが想定される。ただし、そのような場合においても、ＤＣ−ＤＣコンバータによる変換後の各出力電圧に起因して上記のような問題が生じ得る。
【００１３】
そこで、この発明は、複数の撮影レンズユニットに対してそれぞれ適した電圧を供給するとともに、電源からの供給電圧が変動する場合、特に当該供給電圧が比較的低くなる場合において、撮影レンズユニット部分以外の部分における不都合な電圧低下を抑制することが可能な撮像装置を提供することを課題とする。
【課題を解決するための手段】
【００１４】
本発明の第１の側面は、複数の撮影レンズユニットを着脱自在に装着可能な撮像装置であって、前記撮像装置に装着されている撮影レンズユニットを判別する判別手段と、電源からの供給電圧に対する第１の電圧降下を伴って前記供給電圧に応じた大きさの電圧を出力する第１の電圧降下部と、前記電源からの前記供給電圧に対する第２の電圧降下を伴って前記供給電圧に応じた大きさの電圧を出力する第２の電圧降下部と、第１の撮影レンズユニットが装着されていると判別されるときには前記第１の電圧降下部からの出力電圧を前記第１の撮影レンズユニットに対して出力し、第２の撮影レンズユニットが装着されていると判別されるときには前記第２の電圧降下部からの出力電圧を前記第２の撮影レンズユニットに対して出力する制御手段とを備える。
【００１５】
本発明の第２の側面は、複数の撮影レンズユニットを着脱自在に装着可能な撮像装置であって、前記撮像装置に装着されている撮影レンズユニットを判別する判別手段と、電源からの供給電圧をダイオードによる電圧降下作用で低下させた電圧を出力する第１の電圧出力部と、前記電源からの前記供給電圧をダイオードによる電圧降下作用で低下させた電圧を出力する第２の電圧出力部と、第１の撮影レンズユニットが装着されていると判別されるときには前記第１の電圧出力部からの出力電圧を前記第１の撮影レンズユニットに対して出力し、第２の撮影レンズユニットが装着されていると判別されるときには前記第２の電圧出力部からの出力電圧を前記第２の撮影レンズユニットに対して出力する制御手段とを備える。
【発明の効果】
【００１６】
本発明によれば、第１の撮影レンズユニットおよび第２の撮影レンズユニットに対してそれぞれ適した電圧を供給することができる。また、供給電圧が比較的低い場合においては比較的低い電圧が第１または第２の撮影レンズユニットに出力される。したがって、ＤＣ−ＤＣコンバータなどによって比較的高い値に調整された電圧が撮影レンズユニットに常に出力される場合に比べて、他の部分における不都合な電圧低下を抑制することが可能である。
【発明を実施するための最良の形態】
【００１７】
以下、本発明の実施形態を図面に基づいて説明する。
【００１８】
＜１．全体構成＞
図１は、本発明の実施形態に係る撮像装置１の構成を示す概略図である。この撮像装置１は、レンズ交換式一眼レフレックスタイプのデジタルカメラとして構成される。
【００１９】
図１に示すように、撮像装置１は、カメラ本体部（カメラボディ）２を備えている。このカメラ本体部２に対して、交換式の撮影レンズユニット（交換レンズ）３が着脱可能である。なお、撮像装置１と単一または複数の撮影レンズユニット３とによって構成されるシステムは、撮影システムとも称される。
【００２０】
撮影レンズユニット（撮影光学系）３は、略円筒形の外形形状を有しており、レンズ群及び絞り等によって構成される。当該レンズ群には、光軸方向に移動することによって焦点位置を変更するフォーカスレンズ等が含まれている。また、撮影レンズユニット３としては、様々な種類のものが存在し、フォーカスレンズとともに、あるいはフォーカスレンズに代えて、ズームレンズを含むものも存在する。
【００２１】
撮影レンズユニット３には、当該レンズの種類（品番等）を識別するための「レンズ情報」を格納するレンズ情報格納部３２と、レンズ駆動部３３とが内蔵されている。レンズ駆動部３３としては、フォーカスレンズを駆動するモータ、および／または、ズームレンズを駆動するモータ等が設けられている。
【００２２】
また、カメラ本体部２は、通信部２２と判別部２３と制御部２５と電力出力部２７とを備えている。また、カメラ本体部２は、これら以外に、ミラー駆動部等の各種の電気回路２９等をも備えている。
【００２３】
カメラ本体部２は、撮影レンズユニット３が装着される円環状のマウント部Ｍｔを正面略中央に備えている。また、カメラ本体部２側のマウント部Ｍｔ近辺と、当該マウント部Ｍｔに対向する撮影レンズユニット３側の部位とにおいては、それぞれ、複数の電気接点が設けられている。詳細には、カメラ本体部２側には、円環状のマウント部Ｍｔの内側の一部において、円環状のマウント部Ｍｔの内側輪郭に沿って、複数の電気接点２１が設けられている。また、撮影レンズユニット３側には、当該電気接点２１の対向部位に複数の電気接点３１が設けられている。そして、撮影レンズユニット３がカメラ本体部２に装着された際には、電気接点２１と電気接点３１とが電気的に接続される。
【００２４】
カメラ本体部２は、これらの複数の電気接点２１，３１を介して、撮影レンズユニット３との間で情報を授受することができる。詳細には、カメラ本体部２の通信部２２は、レンズ情報格納部３２内のレンズ情報を電気接点２１，３１を介した通信によって読み出すことなどが可能である。
【００２５】
通信部２２によって取得されたレンズ情報は、判別部２３に伝達される。そして、判別部２３は、当該レンズ情報に基づいて、カメラ本体部２に現在装着されている撮影レンズユニット３の種類（レンズ種類）を認識する。
【００２６】
より詳細には、判別部２３は、カメラ本体部２に装着されている撮影レンズユニット３が、カテゴリーＣＡに属するものであるのかあるいはカテゴリーＣＢに属するものであるのか、を判別する。ここで、カテゴリーＣＡは、比較的高い電圧（例えば５Ｖ前後）で動作するカテゴリーであり、カテゴリーＣＢは、比較的低い電圧（例えば３Ｖ前後）で動作するカテゴリーである。
【００２７】
また、判別部２３の判別結果に基づいて、カメラ本体部２側から撮影レンズユニット３側へと複数の電気接点２１，３１を介して電力が供給され、撮影レンズユニット３内のレンズ駆動部が駆動される。
【００２８】
具体的には、制御部２５は、電力出力部２７を制御して、カメラ本体部２に装着されている撮影レンズユニット３の種類に応じた大きさの電圧を出力する。詳細には、カテゴリーＣＡに属する撮影レンズユニット３（例えば交換レンズＬ１）がカメラ本体部２に装着されていると判別されるときには、電圧降下部５７Ａからの比較的高い出力電圧ＶＡが当該撮影レンズユニット３（詳細にはレンズ駆動部３３）に対して出力される。また、カテゴリーＣＢに属する撮影レンズユニット３（例えば交換レンズＬ２）がカメラ本体部２に装着されていると判別されるときには、電圧降下部５７Ｂからの比較的低い出力電圧ＶＢが当該撮影レンズユニット３（詳細にはレンズ駆動部３３）に対して出力される。
【００２９】
撮影レンズユニット３内のレンズ駆動部３３は、電力出力部２７からの供給電圧で駆動される。なお、電力出力部２７は、カメラ本体部２内の様々な電力消費部である各種の電気回路２９（例えば、ＣＰＵ、ミラー駆動部など）にも電力を供給する。
【００３０】
＜２．レンズへの電力供給＞
つぎに、カメラ本体部２側から撮影レンズユニット３側への電力供給について詳細に説明する。
【００３１】
図２は、電力出力部２７の詳細を示す図である。図２に示すように、電力出力部２７は、電池等で構成される単一の電源５１と、当該電源５１からの電力供給を受け電圧を降下させた後に当該降下後の電圧による電力を撮影レンズユニット３に向けて出力する２系統の電圧出力部５３Ａ，５３Ｂとを有している。２系統の電圧出力部５３Ａ，５３Ｂは、それぞれ、互いに異なる電圧を出力することが可能である。電力出力部２７は、レンズ種類に応じて２種類の電圧の一方の電圧を電気接点２１，３１を介して撮影レンズユニット３へと出力する。
【００３２】
電圧出力部５３Ａは増幅部５５Ａと電圧降下部５７Ａとを備えており、電圧出力部５３Ｂは増幅部５５Ｂと電圧降下部５７Ｂとを備えている。
【００３３】
増幅部５５Ａ，５５Ｂは、それぞれ、電界効果型トランジスタ（ＭＯＳＦＥＴ）等で構成される。増幅部５５（５５Ａ，５５Ｂ）の信号増幅作用によって、制御部２５からの制御入力信号がレンズ駆動用の比較的大きな電力に変換されてレンズ駆動部３３に供給される。
【００３４】
電圧降下部５７Ａは、電源５１からの供給電圧Ｖ０に対する電圧降下を伴って当該供給電圧Ｖ０に応じた大きさの電圧ＶＡを出力することができる。同様に、電圧降下部５７Ｂは、電源５１からの供給電圧Ｖ０に対する電圧降下を伴って当該供給電圧Ｖ０に応じた大きさの電圧ＶＢを出力することができる。後述するように、電圧降下部５７Ａにおける電圧降下と電圧降下部５７Ｂにおける電圧降下とでは、その程度が異なっている。これにより、電圧降下部５７Ａ，５７Ｂは、それぞれ、互いに異なる大きさの電圧をレンズ駆動部３３に対して出力する。
【００３５】
なお、電圧出力部５３Ａ（あるいは電圧降下部５７Ａ）は、電源５１からの供給電圧Ｖ０をダイオードによる電圧降下作用で低下させた電圧ＶＡを出力する処理部であるとも表現される。同様に、電圧出力部５３Ｂ（あるいは電圧降下部５７Ｂ）は、電源５１からの供給電圧Ｖ０をダイオードによる電圧降下作用で低下させた電圧ＶＢを出力する処理部であるとも表現される。
【００３６】
図３は、レンズ着脱判定処理からレンズ駆動用電力供給までのタイミングチャートを示す図である。図３を参照しながら、電力出力部２７（図２）の動作について説明する。
【００３７】
図３に示すように、まず、通信部２２および判別部２３によって、撮影レンズユニット３の着脱状態が判定されるとともに、カメラ本体部２に現在装着されている撮影レンズユニット３が２つの種類に分類して認識される。具体的には、判別部２３は、通信部２２による通信が確立すると、撮影レンズユニット３が装着されたものとして判定する。そして、判別部２３は、通信部２２による通信動作を介してレンズ情報を取得すると、当該レンズ情報に基づいて、カメラ本体部２に現在装着されている撮影レンズユニット３の種類（レンズ種類）を認識する。詳細には、判別部２３は、装着中の撮影レンズユニット３が、比較的高い電圧で動作するカテゴリーＣＡに属するものであるのか、比較的低い電圧で動作するカテゴリーＣＢに属するものであるのかを判別する。
【００３８】
そして、制御部２５は、２つの電圧出力部５３Ａ，５３Ｂ（図２）のうち、判別結果に応じた一方の電圧出力部を選択する。具体的には、撮影レンズユニット３がカテゴリーＣＡに属するものと判定される場合には電圧出力部５３Ａが選択される。また、撮影レンズユニット３がカテゴリーＣＢに属するものと判定される場合には電圧出力部５３Ｂが選択される。詳細には、制御部２５は、２つの信号入力部２６Ａ，２６Ｂ（図２）のうち一方の信号入力部２６（２６Ａまたは２６Ｂ）、具体的には、選択された電圧出力部に対応する信号入力部２６にオン信号を入力する。
【００３９】
例えば、撮影レンズユニット３がカテゴリーＣＡに属すると判定され、電圧出力部５３Ａの信号入力部２６Ａにオン信号が入力されると、増幅部５５Ａを介して、電源５１からの電力がレンズ駆動部３３に向けて出力される。このとき、電源５１からの供給電圧Ｖ０（詳細には増幅部５５Ａからの出力電圧）は、ダイオード等で構成される電圧降下部５７Ａによって所定程度電圧降下して値ＶＡになった後に、レンズ駆動部３３に向けて出力される。したがって、電圧出力部５３Ａからは値ＶＡの電圧がレンズ駆動部３３に向けて出力される。
【００４０】
同様に、撮影レンズユニット３がカテゴリーＣＢに属すると判定され、電圧出力部５３Ｂの信号入力部２６Ｂにオン信号が入力されると、増幅部５５Ｂを介して、電源５１からの電力がレンズ駆動部３３に向けて出力される。このとき、電源５１からの供給電圧Ｖ０（詳細には増幅部５５Ｂからの出力電圧）は、ダイオード等で構成される電圧降下部５７Ｂによって所定程度電圧降下して値ＶＢになった後に、レンズ駆動部３３に向けて出力される。したがって、電圧出力部５３Ｂからは値ＶＢの電圧がレンズ駆動部３３に向けて出力される。
【００４１】
ここにおいて、電圧降下部５７Ａ，５７Ｂの電圧降下の程度は互いに異なっている。例えば、電圧降下部５７Ｂは、３つのダイオード（詳細にはｐｎダイオード（ｐｎ接合型ダイオード））を直列に接続して構成される。また、電圧降下部５７Ａは、単一のダイオード（詳細にはショットキー・バリア・ダイオード）で構成される。
【００４２】
詳細には、ｐｎダイオードの順方向の電圧降下は、例えば１Ｖ（ボルト）程度である。したがって、電圧降下部５７Ｂにおける電圧降下は、例えば３Ｖ（ボルト）程度となる。一方、ショットキー・バリア・ダイオードの順方向の電圧降下は、ｐｎダイオードに比べて小さく、その半分程度である。したがって、電圧降下部５７Ａにおける電圧降下は、例えば０．５Ｖ（ボルト）程度となる。
【００４３】
たとえば、電源５１からの供給電圧Ｖ０が６Ｖ（ボルト）の場合を想定すると、電圧降下部５７Ｂにおいて３Ｖ（ボルト）の電圧降下が発生して、３Ｖ（ボルト）の電圧がレンズ駆動部３３に向けて出力される。一方、電圧降下部５７Ａにおいては０．５Ｖ（ボルト）の電圧降下が発生して、５．５Ｖ（ボルト）の電圧がレンズ駆動部３３に向けて出力される。
【００４４】
このように、電圧降下部５７Ａにおいては電圧降下部５７Ｂに比べて少ない数のダイオードを用いているため、電圧降下部５７Ｂにおける電圧降下は、電圧降下部５７Ａにおける電圧降下よりも小さくなっている。また、電圧降下部５７Ａにおいては電圧降下部５７Ｂに比べて電圧降下の程度が小さな種類のダイオードを用いているため、電圧降下部５７Ｂにおける電圧降下は、電圧降下部５７Ａにおける電圧降下よりも小さくなっている。
【００４５】
なお、ダイオードの電圧降下の値は比較的安定しており、電流が変動する場合においてもほぼ同様である。そのため、レンズ駆動用の電流の大小にかかわらず、電圧出力部５３（５３Ａまたは５３Ｂ）は、電圧降下部５７（５７Ａまたは５７Ｂ）の電圧降下作用によって適切な電圧を出力することが可能である。
【００４６】
以上のように、電圧降下部５７Ａ，５７Ｂの電圧降下の程度は互いに異なっている。そのため、電圧降下部５７Ａ，５７Ｂからの出力電圧は互いに異なっている。詳細には、電圧降下部５７Ａは、電圧降下部５７Ｂよりも高い電圧を出力することが可能である。
【００４７】
そして、制御部２５は、カテゴリーＣＡ，ＣＢのいずれに属する撮影レンズユニット３が装着がされたかを判別して、装着中の撮影レンズユニット３に対応する一方の信号入力部２６（２６Ａまたは２６Ｂ）に対する制御信号をオン状態にし、他方の信号入力部２６に対する制御信号はオフ状態にする。これに応じて、装着中の撮影レンズユニット３に対応する電圧出力部５３（５３Ａまたは５３Ｂ）が、装着中の撮影レンズユニット３に適した電圧を当該撮影レンズユニット３に向けて出力する。したがって、複数の撮影レンズユニットに対してそれぞれ適した電圧を供給することが可能である。
【００４８】
また、上述の電圧変換部１５８（図６）に用いられるＤＣ−ＤＣコンバータは、比較的高価である。特に、昇圧機能と降圧機能との両機能を有するＤＣ−ＤＣコンバータはより高価である。
【００４９】
これに対して、この実施形態では、ダイオードを用いて構成された電圧降下部５７Ａ，５７Ｂによって撮影レンズユニット３に対する電力供給が行われている。そのため、撮影レンズユニット３に対する電力供給を行うに際して、ＤＣ−ＤＣコンバータを用いることを要しないため、コストを低減することができる。
【００５０】
＜３．電源電圧が変動する場合における電力供給＞
ところで、電源５１からの供給電圧Ｖ０は常に一定であることが好ましいが、上述したように、一般に、電源５１からの供給電圧Ｖ０は様々な要因によって変化する。例えば、電池の消耗、あるいは、撮像装置内の他の電力消費部（電気回路２９等）における瞬間的な電力消費の大小などによっても変化する。
【００５１】
図５は、或る電気回路２９における瞬間的な電力消費の大小に起因して、供給電圧Ｖ０が変動する状況を説明するための模式図である。
【００５２】
図５に示すように、電源５１からは、レンズ駆動部３３だけでなく、カメラ本体部２内の様々な電気回路２９ａ，２９ｂ等にも電力が供給されている。このとき、詳細には、電圧出力部５３およびレンズ駆動部３３に向けて電源５１から供給される電圧Ｖ０は、例えば、電源５１からの元の供給電圧Ｖから、途中の抵抗成分ｒ１による電圧降下分（Ｉ１×ｒ１）を差し引いた値になる（Ｖ０＝Ｖ−（Ｉ１×ｒ１））。したがって、何らかの要因によって図５の電流値Ｉ１が大きくなると、電圧出力部５３に対する供給電圧Ｖ０は小さくなり、逆に、何らかの要因によって電流値Ｉ１が小さくなると供給電圧Ｖ０は大きくなる。
【００５３】
この実施形態においては、電源５１からの供給電圧Ｖ０が変動する場合において、信号入力部２６Ａ（図２）にオン信号が入力すると、上記の電圧降下部５７Ａは、電源５１からの供給電圧Ｖ０に対する第１の電圧降下を伴って供給電圧Ｖ０に応じた大きさの電圧ＶＡを出力する。また、信号入力部２６Ｂにオン信号が入力すると、電圧降下部５７Ｂは、電源５１からの供給電圧Ｖ０に対する第２の電圧降下を伴って供給電圧Ｖ０に応じた大きさの電圧ＶＢを出力する。
【００５４】
例えば、図４に示すように、電源５１の供給電圧Ｖ０が４．０Ｖ（ボルト）から８．４Ｖ（ボルト）まで変化する場合を想定する。また、電圧降下部５７Ａ，５７Ｂによって上述のような電圧降下が生じるものとする。
【００５５】
このとき、信号入力部２６Ａにオン信号が入力されると、電圧出力部５３Ａは、電圧降下部５７Ａで０．５Ｖ（ボルト）降下した電圧値、具体的には、３．５Ｖ（ボルト）から７．９Ｖ（ボルト）までの範囲の電圧ＶＡを出力する。電圧出力部５３Ａの出力電圧値に関するこのような範囲（３．５Ｖ（ボルト）〜７．９Ｖ（ボルト））は、多くの場合、カテゴリーＣＡに属するレンズ（レンズＬ１等）の電圧値の許容範囲（例えば、３．５Ｖ（ボルト）〜８．０Ｖ（ボルト））に収まっている。そのため、カテゴリーＣＡに属するレンズを適切に駆動することが可能である。
【００５６】
また、同様に、信号入力部２６Ｂにオン信号が入力されると、電圧出力部５３Ｂは、電圧降下部５７Ｂで３．０Ｖ（ボルト）降下した電圧値、具体的には、１．０Ｖ（ボルト）から５．４Ｖ（ボルト）までの範囲の電圧ＶＢを出力する。電圧出力部５３Ｂの出力電圧値に関するこのような範囲（１．０Ｖ（ボルト）〜５．４Ｖ（ボルト））は、カテゴリーＣＡに属するレンズ（レンズＬ２等）の電圧値の許容範囲（例えば、０．８Ｖ（ボルト）〜５．４Ｖ（ボルト））に収まっていることが多い。そのため、カテゴリーＣＢに属するレンズを適切に駆動することが可能である。
【００５７】
また、この実施形態によれば、電圧降下部５７Ａにおける電圧降下によって、供給電圧Ｖ０が比較的高い場合（例えば８Ｖ（ボルト）の場合）には比較的高い電圧（例えば７．５Ｖ（ボルト））がレンズ駆動部３３に出力される。一方、供給電圧Ｖ０が比較的低い場合（例えば４Ｖ（ボルト）の場合）には電圧降下部５７Ａにおける電圧降下によって比較的低い電圧（例えば３．５Ｖ（ボルト））がレンズ駆動部３３に出力される。端的に言えば、供給電圧Ｖ０が比較的大きいときには比較的高い電圧が出力され、供給電圧Ｖ０が比較的小さいときには比較的低い電圧が出力される。すなわち、供給電圧Ｖ０に応じた大きさの電圧ＶＡが出力される。
【００５８】
このように、電圧降下部５７Ａは、電源からの供給電圧Ｖ０に対する電圧降下を伴って、供給電圧Ｖ０に応じた大きさの電圧ＶＡをレンズ駆動部３３に出力するため、特に供給電圧Ｖ０の低下時においても、レンズ駆動部３３における電流の増大を抑制することができる。ひいては他の部分（例えば次述する電気回路２９ｂ）における不都合な電圧低下を抑制することが可能である。
【００５９】
例えば、図５においては、他の電気回路２９ｂに加わる電圧Ｅ３は、例えば、電源からの元の供給電圧Ｖから、途中の抵抗成分ｒ１，ｒ２による電圧降下分（Ｉ１×ｒ１＋Ｉ２×ｒ２）を差し引いた値になる（Ｅ３＝Ｖ−（Ｉ１×ｒ１＋Ｉ２×ｒ２））。
【００６０】
仮に、電圧降下部５７Ａ（図２）の代わりにＤＣ−ＤＣコンバータを設け、当該ＤＣ−ＤＣコンバータなどによって比較的高い電圧（例えば５Ｖ（ボルト））に調整された電圧が撮影レンズユニット３に出力される場合を想定する。この場合には、供給電圧Ｖ０の低下時においても、レンズ駆動部３３に比較的多くの電流が流れ、その結果電流Ｉ１（図５）も増大する。そして、電流値Ｉ１の増大に伴って電圧Ｅ３が小さくなり、その電圧低下の程度によっては上述のような不都合が生じ得る。
【００６１】
これに対して、この実施形態においては、供給電圧が比較的低い場合（例えば４Ｖ（ボルト）の場合）においては比較的低い電圧（例えば３．５Ｖ（ボルト））が撮影レンズユニット３に出力される。そのため、レンズ駆動用の電流も比較的小さくなり、他の部分への電力供給回路内の抵抗成分による電圧降下（当該抵抗成分と電流との積で表現される）も比較的小さくなる。したがって、上記のようにＤＣ−ＤＣコンバータなどによって比較的高い電圧（例えば５Ｖ（ボルト））に調整されてレンズに出力されるときに比べて、他の部分における不都合な電圧低下を抑制することが可能である。
【００６２】
また、供給電圧Ｖ（またはＶ０）が比較的高い場合（例えば８Ｖ（ボルト）の場合）においては比較的高い電圧が撮影レンズユニット３に出力されるため、撮影レンズユニット３の駆動に十分な電力を供給することが可能である。なお、この場合、レンズ駆動用の電流が多くなり他の部分における電圧降下も若干大きく生じるが、供給電圧Ｖ（またはＶ０）が比較的高いため、他の部分における不都合な電圧低下を抑制することが可能である。
【００６３】
以上のように、この電圧降下部５７Ａによれば、電源５１の状況（余裕程度）に応じた電力供給を行うことが可能である。
【００６４】
また、電圧降下部５７Ｂに関しても同様である。
【００６５】
具体的には、供給電圧Ｖ０が比較的高い場合（例えば８Ｖ（ボルト）の場合）には電圧降下部５７Ｂにおける電圧降下によって比較的高い電圧（例えば５．０Ｖ（ボルト））がレンズ駆動部３３に出力される。一方、供給電圧Ｖ０が比較的低い場合（例えば４Ｖ（ボルト）の場合）には電圧降下部５７Ｂにおける電圧降下によって比較的低い電圧（例えば１．０Ｖ（ボルト））がレンズ駆動部３３に出力される（図４参照）。端的に言えば、供給電圧Ｖ０が比較的大きいときには比較的高い電圧が出力され、供給電圧Ｖ０が比較的小さいときには比較的低い電圧が出力される。すなわち、供給電圧Ｖ０に応じた大きさの電圧ＶＢが出力される。
【００６６】
このように、電圧降下部５７Ｂは、電源からの供給電圧Ｖ０に対する電圧降下を伴って、供給電圧Ｖ０に応じた大きさの電圧ＶＢをレンズ駆動部３３に出力する。
【００６７】
そのため、電圧降下部５７Ｂによれば、電圧降下部５７Ａと同様に、供給電圧が比較的低い場合（例えば４Ｖ（ボルト）の場合）において、レンズ駆動部３３における電流の増大を抑制することができ、ひいては他の部分における不都合な電圧低下を抑制することが可能である。
【００６８】
また、供給電圧が比較的高い場合（例えば８Ｖ（ボルト）の場合）においては、比較的高い電圧が電圧降下部５７Ｂから撮影レンズユニット３に出力されるため、撮影レンズユニット３の駆動に十分な電力を供給することが可能である。
【００６９】
以上のように、この電圧降下部５７Ｂによれば、電源５１の状況に応じた電力供給を行うことが可能である。
【００７０】
＜４．変形例＞
以上、この発明の実施の形態について説明したが、この発明は上記説明した内容のものに限定されるものではない。
【００７１】
たとえば、上記実施形態においては、電圧降下部５７Ａを３つのダイオードで構成し、電圧降下部５７Ｂを１つのダイオードで構成する場合を例示したが、これに限定されず、他の個数のダイオードの組み合わせで電圧降下部５７Ａ，５７Ｂを構成するようにしてもよい。詳細には、電圧降下部５７Ａを４つのダイオードで構成し、電圧降下部５７Ｂを２つのダイオードで構成するようにしてもよい。あるいは、電圧降下部５７Ａを６つのダイオードで構成し、電圧降下部５７Ｂを１つのダイオードで構成するようにしてもよい。
【００７２】
また、上記実施形態においては、電圧降下部５７Ａ，５７Ｂをそれぞれ異なる個数のダイオードで構成する場合を例示したが、これに限定されず、同数のダイオードで電圧降下部５７Ａ，５７Ｂを構成するようにしてもよい。この場合には、例えば電圧降下部５７Ａ，５７Ｂにおいて互いに異なる種類のダイオードを用いて、両電圧降下部５７Ａ，５７Ｂにおける電圧降下後の電圧値を互いに異なるものにすればよい。
【００７３】
また、上記実施形態においては、電圧降下部５７Ａ，５７Ｂをそれぞれ異なる種類のダイオードで構成する場合を例示したが、これに限定されず、同じ種類のダイオードで電圧降下部５７Ａ，５７Ｂを構成するようにしてもよい。この場合には、例えば電圧降下部５７Ａ，５７Ｂにおいて互いに異なる数のダイオードを用いて、両電圧降下部５７Ａ，５７Ｂにおける電圧降下後の電圧値を互いに異なるものにすればよい。
【００７４】
また、上記実施形態においては、電圧降下部５７Ａ，５７Ｂをダイオードのみで構成する場合を例示したが、これに限定されず、ダイオードだけでなく抵抗器等をも用いて電圧降下部５７Ａ，５７Ｂを構成するようにしてもよい。
【図面の簡単な説明】
【００７５】
【図１】本発明の実施形態に係る撮像装置の構成を示す概略図である。
【図２】電力出力部の詳細を示す図である。
【図３】レンズ種類判定処理からレンズ駆動用電力供給までのタイミングチャートである。
【図４】電圧変動時における各レンズへの出力電圧を示す図である。
【図５】撮像システムにおける電圧変動を説明するための模式図である。
【図６】比較例を示す図である。
【図７】比較例を示す図である。
【符号の説明】
【００７６】
１  撮像装置
２  カメラ本体部
３  撮影レンズユニット
２１，３１  電気接点
２６，２６Ａ，２６Ｂ  信号入力部
５１  電源
５３，５３Ａ，５３Ｂ  電圧出力部
５５，５５Ａ，５５Ｂ  増幅部
５７，５７Ａ，５７Ｂ  電圧降下部
Ｌ１，Ｌ２  交換レンズ
Ｍｔ  マウント部
【図１】
2009017068.tif 000003
【図２】
2009017068.tif 000004
【図３】
2009017068.tif 000005
【図４】
2009017068.tif 000006
【図５】
2009017068.tif 000007
【図６】
2009017068.tif 000008
【図７】
2009017068.tif 000009